(57)【要約】【課題】本発明は、高温差し湯機能を備えた給湯装置であって、より好適に「優先機能」を発揮できる給湯装置を提供することを課題とする。【解決手段】給湯装置は、高温差し湯機能を備えている。給湯装置は、熱交換器よりも下流側の流路として、給湯配管２２と、湯張り用配管２６と、高温差し湯流路２７を有する。給湯配管２２には、熱交換器をバイパスするバイパス配管２３が接続されており、その接続部Ｃを基準に、上流側の位置に高温差し湯流路２７、下流側の位置に湯張り用配管２６が接続されている。さらに給湯配管２２には、高温差し湯流路２７への分岐部とバイパス流路の接続部Ｃとの間に、判定用温度センサ１５が設けられている。その判定用温度センサ１５が、一定以上の温度、又は温度上昇を検知すると、一般給湯端末が使用されていると判定することが可能である。【選択図】図５
2015010739.tif 000002
【特許請求の範囲】
【請求項１】
開閉可能な一般給湯端末及び浴槽に対して湯水を供給可能な給湯装置であって、
熱交換器と、外部の給水源から供給される湯水を熱交換器に送る上流側流路と、熱交換器を通過した湯水が通過する下流側流路と、熱交換器をバイパスし上流側流路と下流側流路とを接続するバイパス流路と、一般給湯端末に湯水を供給する給湯出湯口と、浴槽に接続される風呂往き口とを有し、
前記下流側流路であって、バイパス流路の接続部よりも下流側が、前記給湯出湯口に接続されており、前記一般給湯端末を開くことによって前記給湯出湯口から出湯され、
前記下流側流路であって、バイパス流路の接続部よりも上流側に高温分岐部があり当該高温分岐部から分岐され風呂往き口に至る高温差し湯流路が設けられ、
前記下流側流路であって、バイパス流路の接続部よりも下流側から分岐され風呂往き口に至る湯張り用流路が有り、
給湯出湯口から温度調節された湯水を出湯させる一般給湯運転を実施することが可能であり、
さらに高温差し湯流路を経由して浴槽に対して高温の湯を差し湯する高温差し湯運転と、湯張り用流路を経由して浴槽に対して入浴可能な温度の湯を供給する落とし込み運転とを選択的に行うことが可能であり、
高温差し湯運転と給湯出湯口からの出湯が並行して実施される状況下においては、高温差し湯運転に優先して一般給湯運転を実施する優先機能を備えた給湯装置において、
前記下流側流路の前記高温分岐部とバイパス流路の接続部との間に、温度検知手段が設けられ、
高温差し湯運転の実行中に温度検知手段により一定以上の温度、又は、温度上昇が検知された場合には、高温差し湯運転を中断する機能を備えたことを特徴とする給湯装置。
【請求項２】
開閉可能な一般給湯端末及び浴槽に対して湯水を供給可能な給湯装置であって、
熱交換器と、外部の給水源から供給される湯水を熱交換器に送る上流側流路と、熱交換器を通過した湯水が通過する下流側流路と、熱交換器をバイパスし上流側流路と下流側流路とを接続するバイパス流路と、一般給湯端末に湯水を供給する給湯出湯口と、浴槽に接続される風呂往き口とを有し、
前記下流側流路であって、バイパス流路の接続部よりも下流側が、前記給湯出湯口に接続されており、前記一般給湯端末を開くことによって前記給湯出湯口から出湯され、
前記下流側流路であって、バイパス流路の接続部よりも上流側に高温分岐部があり当該高温分岐部から分岐され風呂往き口に至る高温差し湯流路が設けられ、
前記下流側流路であって、バイパス流路の接続部よりも下流側から分岐され風呂往き口に至る湯張り用流路が有り、
給湯出湯口から温度調節された湯水を出湯させる一般給湯運転を実施することが可能であり、
さらに高温差し湯流路を経由して浴槽に対して高温の湯を差し湯する高温差し湯運転と、湯張り用流路を経由して浴槽に対して入浴可能な温度の湯を供給する落とし込み運転とを選択的に行うことが可能であり、
高温差し湯運転と給湯出湯口からの出湯が並行して実施される状況下においては、高温差し湯運転に優先して一般給湯運転を実施する優先機能を備えた給湯装置において、
前記下流側流路の前記高温分岐部とバイパス流路の接続部との間に、温度検知手段が設けられ、
高温差し湯運転が実施されている状況下で温度検知手段により一定以上の温度、又は、温度上昇が検知された場合には、一般給湯端末が開かれて前記給湯出湯口から出湯されたと判断する給湯判定機能を備えたことを特徴とする給湯装置。
【請求項３】
下流側流路であって、高温分岐部と前記温度検知手段との間に逆止弁が設けられていることを特徴とする請求項１又は２に記載の給湯装置。
【請求項４】
高温差し湯流路と湯張り用流路は、その下流側において１つの流路となった合流流路を有し、当該合流流路には、浴槽へ供給される湯量を検知可能な浴槽側流量センサが設けられ、
上流側流路には、熱交換器への入水流量を検知可能な入水側流量センサが設けられ、
入水側流量センサが検知する流量値に基づいた総流量値と、浴槽側流量センサが検知する浴槽側流量値との差が一定以上あることを条件に、一般給湯端末が開かれて前記給湯出湯口から出湯されたと判断する給湯判定機能を備えたことを特徴とする請求項２又は３に記載の給湯装置。
【請求項５】
下流側流路の一部には水平部があり、当該水平部にバイパス流路が接続されると共に、温度検知手段が設置されていることを特徴とする請求項１乃至４のいずれかに記載の給湯装置。
【発明の詳細な説明】
【技術分野】
【０００１】
本発明は、浴槽内に溜まっている湯水の温度を上昇させるべく、高温の湯を浴槽内に供給可能な専用流路を備えた給湯装置に関するものである。
【背景技術】
【０００２】
従来より、カラン等に対する一般給湯機能や、浴槽へ湯を張る落とし込み機能の他、浴槽内に高温の湯を供給して浴槽内に溜まった湯水の温度を上昇させる機能（以下、高温差し湯機能という）を具備した給湯装置が知られている。すなわち、この給湯装置は、浴槽内の湯水を追い焚きする機能は持たないが、その機能に代えて、浴槽内に高温の湯を供給する高温差し湯機能が備えられている。
そして、一般的には、この種の給湯装置では、カランやシャワー等の一般給湯端末を操作すれば一般給湯運転が行われ、また所定のリモコンを操作すれば浴槽への落とし込み運転や高温差し湯運転（以下、総称して風呂運転ともいう）が行われる。
【０００３】
ところで、高温差し湯機能を具備した給湯装置は、廉価版のものであることが多く、１系統の熱交換器のみで全ての機能を賄う構造が一般的である。すなわち、一般給湯運転における湯水の加熱と、落とし込み運転における湯水の加熱と、高温差し湯運転における湯水の加熱を、全て同一の熱交換器で行う構造である。
【０００４】
ここで問題となるのが、一般給湯運転の要求と、風呂運転の要求が、並行して実施される状況が発生した場合の取り扱いである。
すなわち、一般給湯運転における設定条件と、風呂運転における設定条件（設定湯温等）は、一般的に異なる。例えば、シャワーに給湯する温度は、摂氏４０度程度の中温であり、高温差し湯の設定温度は、摂氏８０度程度の高温であり、両者の間には大きな開きがある。摂氏４０度の中温の湯と、摂氏８０度の高温の湯を同時に出湯させることは、技術的に可能であるが、これを実現するためには複雑な配管系統や制御手段を採用する必要があり、廉価版の給湯装置には適さない。
【０００５】
そのため、高温差し湯機能を備えた給湯装置では、一般給湯運転の要求と、風呂運転の要求が並行して実施される状況があった場合、いずれかの運転を優先的に行う制御回路が採用される場合が多い。
例えば、特許文献１には、高温差し湯運転が実施されている状態のときに、手動でカラン等が開かれ、一般給湯運転が開始された場合には、高温差し湯を中断して、一般給湯を優先する「優先機能」を備えた給湯装置が開示されている。
そして、この種の給湯装置では、「優先機能」を好適に発揮するべく、一般給湯運転が実施されているか否かを判定する他栓判定手段が備えられている。
【先行技術文献】
【特許文献】
【０００６】
【特許文献１】特許２５２２１２９号公報
【発明の概要】
【発明が解決しようとする課題】
【０００７】
ここで、他栓判定手段としては、給湯装置に既に設けられた流量センサが流用されることが多い。具体的には、一般給湯端末に供給される湯の流量を検知する出湯側流量センサが多用されている。出湯側流量センサは、一般給湯端末から出湯する湯水の流量を検知するセンサであり、落とし込み運転のみや、高温差し湯運転のみが実行されている場合は、流量を検知することはなく、カラン等の一般給湯端末が使用されて初めて流量が検知される。そのため、出湯側流量センサによって湯水の通過が検知されれば、カラン等の一般給湯端末が開かれたと判断できる。
【０００８】
つまり、他栓判定手段として、出湯側流量センサを用いれば、出湯流量が検知された時点で一般給湯端末が使用されていると判定できる。
なお、より好適に他栓判定を行うべく、他栓判定手段として、出湯側流量センサに加えて、熱交換器への入水流量を検知する入水側流量センサを併用する場合もある。
【０００９】
しかしながら、出湯側流量センサに頼る他栓判定は、機器のレイアウトによっては誤動作が発生する場合がある。
すなわち、高温足し湯を行う給湯装置は、前記した様に廉価版であることから、製造コストが低いことが要求される。そのため、機器を内蔵する筐体は小さいことが望ましく、機器内における配管は、材料を節約する目的から、できるだけ短くなるように設計される。さらに、高温足し湯を行う給湯装置では、機器の配置レイアウトが制約され、出湯側流量センサの近傍に、一般給湯以外のときに水流が発生する流路を接続せざるを得ない場合がある。このようなレイアウトが採用された場合には、水流センサの近傍に局地的な渦や乱流が等が発生し、局地的な渦等によって水流センサの水車が回転してしまう場合がある。
【００１０】
すなわち、代表的な流量センサは、流路を構成するケーシングの中に水車が内蔵された構造となっており、ケーシング内を湯水が通過すると、この水流によって水車が回転し、通過水量を検知するものである。したがって、ケーシング内を湯水が通過しない場合には、水車は回転せず、水流を検知しない筈である。
しかしながら、ケーシングの近くに局地的な渦や乱流が等が発生すると、局地的な水流によって水車が僅かに回転してしまう場合があり、給湯栓が開かれていないにも関わらず一般給湯が行われたものと誤判定してしまう。
また誤判定は、ごく稀に発生するものであり、再現性が低い。そのため給湯装置の開発時においては、このような欠陥を見つけにくく、製品発売後にクレームとなる懸念もある。
【００１１】
そのため、流量センサによる他栓判定を採用する場合は、機器のレイアウトに制約を受け、設計者の自由な設計を妨げを妨げる要因となる。また、流量センサによる他栓判定を採用する場合は、誤判定が起こりえないと確信が持てるまで耐久試験を行う必要があり、設計開始から製品量産に至るまでに長期間を要することとなる。
【００１２】
そこで、本発明では、高温差し湯機能を備えた給湯装置であって、より好適に「優先機能」を発揮できる給湯装置を提供することを課題とする。
【課題を解決するための手段】
【００１３】
上記課題を解決するべく提供される請求項１に記載の発明は、開閉可能な一般給湯端末及び浴槽に対して湯水を供給可能な給湯装置であって、熱交換器と、外部の給水源から供給される湯水を熱交換器に送る上流側流路と、熱交換器を通過した湯水が通過する下流側流路と、熱交換器をバイパスし上流側流路と下流側流路とを接続するバイパス流路と、一般給湯端末に湯水を供給する給湯出湯口と、浴槽に接続される風呂往き口とを有し、前記下流側流路であって、バイパス流路の接続部よりも下流側が、前記給湯出湯口に接続されており、前記一般給湯端末を開くことによって前記給湯出湯口から出湯され、前記下流側流路であって、バイパス流路の接続部よりも上流側に高温分岐部があり当該高温分岐部から分岐され風呂往き口に至る高温差し湯流路が設けられ、
前記下流側流路であって、バイパス流路の接続部よりも下流側から分岐され風呂往き口に至る湯張り用流路が有り、給湯出湯口から温度調節された湯水を出湯させる一般給湯運転を実施することが可能であり、さらに高温差し湯流路を経由して浴槽に対して高温の湯を差し湯する高温差し湯運転と、湯張り用流路を経由して浴槽に対して入浴可能な温度の湯を供給する落とし込み運転とを選択的に行うことが可能であり、高温差し湯運転と給湯出湯口からの出湯が並行して実施される状況下においては、高温差し湯運転に優先して一般給湯運転を実施する優先機能を備えた給湯装置において、前記下流側流路の前記高温分岐部とバイパス流路の接続部との間に、温度検知手段が設けられ、高温差し湯運転の実行中に温度検知手段により一定以上の温度、又は、温度上昇が検知された場合には、高温差し湯運転を中断する機能を備えたことを特徴とする給湯装置である。
【００１４】
また請求項２に記載の発明は、開閉可能な一般給湯端末及び浴槽に対して湯水を供給可能な給湯装置であって、熱交換器と、外部の給水源から供給される湯水を熱交換器に送る上流側流路と、熱交換器を通過した湯水が通過する下流側流路と、熱交換器をバイパスし上流側流路と下流側流路とを接続するバイパス流路と、一般給湯端末に湯水を供給する給湯出湯口と、浴槽に接続される風呂往き口とを有し、前記下流側流路であって、バイパス流路の接続部よりも下流側が、前記給湯出湯口に接続されており、前記一般給湯端末を開くことによって前記給湯出湯口から出湯され、前記下流側流路であって、バイパス流路の接続部よりも上流側に高温分岐部があり当該高温分岐部から分岐され風呂往き口に至る高温差し湯流路が設けられ、前記下流側流路であって、バイパス流路の接続部よりも下流側から分岐され風呂往き口に至る湯張り用流路が有り、給湯出湯口から温度調節された湯水を出湯させる一般給湯運転を実施することが可能であり、さらに高温差し湯流路を経由して浴槽に対して高温の湯を差し湯する高温差し湯運転と、湯張り用流路を経由して浴槽に対して入浴可能な温度の湯を供給する落とし込み運転とを選択的に行うことが可能であり、高温差し湯運転と給湯出湯口からの出湯が並行して実施される状況下においては、高温差し湯運転に優先して一般給湯運転を実施する優先機能を備えた給湯装置において、前記下流側流路の前記高温分岐部とバイパス流路の接続部との間に、温度検知手段が設けられ、高温差し湯運転が実施されている状況下で温度検知手段により一定以上の温度、又は、温度上昇が検知された場合には、一般給湯端末が開かれて前記給湯出湯口から出湯されたと判断する給湯判定機能を備えたことを特徴とする給湯装置である。
【００１５】
本発明の給湯装置は、下流側流路であって、高温分岐部と前記温度検知手段との間に逆止弁が設けられていることが望ましい（請求項３）。
【００１６】
請求項１、２、３に記載の給湯装置は、その基本構造が、従来公知の高温差し湯機能を具備した給湯装置と同様であり、下流側流路から分岐した２つの浴槽導通流路を備えた構成となっている。すなわち、本発明の給湯装置は、用途ごとに異なる流路を備えており、その１つが高温差し湯流路であり、別の１つが湯張り用流路である。高温差し湯流路は、熱交換器から吐出した高温の湯がそのまま流れる流路であり、浴槽内の湯を加熱する場合に使用される（高温差し湯運転）。一方、湯張り用流路は、熱交換器から吐出した高温の湯と、バイパス流路を通過した湯水との混合水が流れる流路であり、浴槽内に湯を張る時に使用される（落とし込み運転）。
【００１７】
そして、これらの発明では、上記基本構造に加えて、下流側流路上であって高温差し湯流路への分岐部（高温分岐部）とバイパス流路の接続部との間（以下、高温分岐−バイパス間ともいう）の位置に、温度検知手段が設けられている。すなわち、本発明は、温度検知手段によって、下流側流路を通過する湯水の温度であって、高温分岐−バイパス間の湯水の温度を検知できるという特徴的機能が付与されている。
【００１８】
ここで、高温分岐−バイパス間における湯水の流通について考察する。
高温分岐−バイパス間は、高温差し湯流路への分岐部よりも下流側に位置している。また高温差し湯運転と、落とし込み運転とは選択的に行われるものであるから、高温差し湯流路を使用する場合、つまり高温差し湯運転を行う場合であって一般給湯端末が閉じられている場合には、当該高温分岐−バイパス間には湯水の流通は発生しない。
このような事情に鑑みると、高温差し湯運転中に、高温分岐−バイパス間には湯水の流通が発生するのは、カランやシャワー等の一般給湯端末が開かれた場合に限られる。
また、高温分岐−バイパス間に流れる湯水は、バイパス流路を流れる水が混合されていないから高温である。そのため、高温分岐−バイパス間に水流があると、高温分岐−バイパス間に配された温度検知手段によって、温度上昇が検知される。すなわち、高温差し湯用に使用される湯は、一定以上（例えば摂氏９０度）の高温を呈している。つまり、高温差し湯運転中に、一般給湯端末が使用されると、高温分岐−バイパス間に配された温度検知手段によって、一定以上の温度、又は、温度上昇が検知される。
【００１９】
したがって、高温差し湯運転中に、高温分岐−バイパス間に配された温度検知手段が一定以上の温度、又は、温度上昇を検知した場合は、一般給湯端末が使用されている可能性が高いと判定できる。そのため、本発明では、温度検知手段が一定以上の温度、又は、温度上昇を検知したことを条件に、一般給湯端末が使用されていると判定することとした。かかる構成にれば、他栓判定において、流量センサを要さないため、従来に比べて、他栓判定の精度が向上させることができる。その結果、本発明では、より好適に「優先機能」が発揮できる給湯装置の提供することが可能である。
なお、ここで言う「優先機能」とは、先にも説明したように、風呂運転（落とし込み運転や高温差し湯運転）中に、一般給湯運転の要求が発生した場合に、一方の運転を優先的に行う機能を指している。
【００２０】
ここで、落とし込み運転が行われている場合について検討する。
先にも説明したように、落とし込み運転では、高温分岐−バイパス間に高温の湯が流通する状態が継続する。つまり、落とし込み運転の最中においては、常に、高温分岐−バイパス間に設けられた温度検知手段が一定以上の温度を検知した状態となる。そのため、温度検知手段によって、他栓（一般給湯端末等）の使用状態を判定することは不可能である。
【００２１】
そこで、そのような事情に鑑みて提供される請求項４に記載の発明は、高温差し湯流路と湯張り用流路は、その下流側において１つの流路となった合流流路を有し、当該合流流路には、浴槽へ供給される湯量を検知可能な浴槽側流量センサが設けられ、上流側流路には、熱交換器への入水流量を検知可能な入水側流量センサが設けられ、入水側流量センサが検知する流量値に基づいた総流量値と、浴槽側流量センサが検知する浴槽側流量値との差が一定以上あることを条件に、一般給湯端末が開かれて前記給湯出湯口から出湯されたと判断する給湯判定機能を備えたことを特徴とする請求項２又は３に記載の給湯装置である。
【００２２】
本発明の給湯装置は、入水側流量センサが検知する総流量値と、浴槽側流量センサが検知する浴槽側流量値との差が一定以上あることを条件に、一般給湯端末の使用を判定する構成とされている。つまり、落とし込み運転のように、高温分岐−バイパス間に高温の湯が流通し続けるような状況下においては、温度検知手段に依らず、流量差による他栓判定の実施が可能である。したがって、本発明によれば、状況に応じて、温度検知手段と、流量センサのいずれかによる他栓判定の実施が可能であるため、従来に比べて、他栓判定の精度を向上させることができる。
【００２３】
前記したように、高温差し湯運転中においては、高温分岐−バイパス間に設けられた温度検知手段によって、他栓判定を行うことができる。しかしながら、一旦、高温分岐−バイパス間に高温の湯が流入して滞留した状態となると、温度検知手段の近傍が高温を維持した状態となり、次回の他栓判定が困難となってしまう。
そこで、そのような現象を回避するべく提供される請求項５に記載の発明は、下流側流路の一部には水平部があり、当該水平部にバイパス流路が接続されると共に、温度検知手段が設置されていることを特徴とする請求項１乃至４のいずれかに記載の給湯装置である。
なお、ここで言う「水平部」は、水平である場合と、多少の傾斜を有している場合を含む趣旨である。要するに、水平部内で対流が起こる程度の水平度であれば足る。また、湯水の流れ勾配（湯水の流れ方向に向けた下り傾斜）を確保する程度の傾斜を有することが望ましい。
すなわち、下流側を開放した場合に、水平部内の湯水が排出されることが望ましい。
【００２４】
本発明の給湯装置は、下流側流路に、湯水の流れ方向の傾斜がほぼ水平となった水平部が設けられており、その水平部にバイパス流路が接続されている。そのため、高温分岐−バイパス間に湯水の流れがない状況（湯水が滞留した状況）においては、水平部に落差が小さいから、水平部内にバイパス流路を流れる給水源からの湯水が混入する。
すなわち、本発明では、高温分岐−バイパス間に高温の湯が流入して滞留する状況が発生したとしても、その高温の湯内に、バイパス流路を通過した給水源からの湯水を混入させることができるため、水平部における湯の早期の温度降下を期待することができる。その結果、水平部に設けられた温度検知手段近傍の検知温度を短時間で下げることが可能となる。つまり、高温分岐−バイパス間に高温の湯が流入して滞留する状況が発生したとしても、高温の湯の流入が停止すると、バイパス流路を通過する湯水によって、高温分岐−バイパス間内の高温の湯の温度を一定未満に至るまで下げることができるため、次回の他栓判定を好適に行うことができる。
【発明の効果】
【００２５】
本発明の給湯装置は、高温分岐−バイパス間に温度検知手段を設け、その温度検知手段が一定以上の温度、又は、温度上昇を検知したことを条件に、他栓判定を行うことができるため、より好適に「優先機能」を発揮することが可能である。
【図面の簡単な説明】
【００２６】
【図１】本発明の実施形態に係る給湯装置を示す作動原理図である。
【図２】図１に示す給湯装置を示す作動原理図であり、給湯系統を黒塗りで示した図である。
【図３】図１に示す給湯装置を示す作動原理図であり、落とし込み系統（風呂系統）を黒塗りで示した図である。
【図４】図１に示す給湯装置を示す作動原理図であり、高温差し湯系統（風呂系統）を黒塗りで示した図である。
【図５】図１の作動原理図の高温分岐−バイパス間に注目した説明図であり、特に実体的な判定配管を示した図である。
【図６】判定配管の変形例を示す説明図である。
【発明を実施するための形態】
【００２７】
以下に、本発明の実施形態に係る給湯装置について説明する。
本実施形態の給湯装置１は、浴槽４１内に高温の湯を供給して浴槽４１内に溜まった湯水の温度を上昇させる機能（以下、高温湯差し湯機能という）を有し、従来公知の給湯器とほぼ同様の基本構成を有する。すなわち、給湯装置１は、図示しない給水源から供給される水を加熱して、カラン等の一般給湯端末４０に湯を供給する一般給湯運転と、浴槽４１に湯を供給する風呂運転の実施が可能な基本構成を有する。
そこで、まず給湯装置１の基本構成について説明する。
【００２８】
給湯装置１は、図１に示すように、燃焼装置３と、一般給湯端末４０に湯を導く給湯系統７と、浴槽４１に湯を導く風呂系統８を有する。
また、給湯装置１には、各種機器（図示しないリモコンを含む）からの信号を受信したり、各種機器の動作を制御する制御装置２０が備えられている。
【００２９】
燃焼装置３は、主たる構成として、供給される燃料ガスを燃焼して燃焼ガスを生成する燃焼部１０と、湯水が流通する熱交換器１１と、燃焼部に燃料ガスを供給する燃料供給系統（図示しない）を備えている。
【００３０】
燃焼部１０は、図示しない複数のバーナを有し、当該バーナで燃料ガスが燃焼される。
熱交換器１１は、給湯系統７及び風呂系統８の一部を形成するものであり、湯水が流通する通水管２５を有する。そして、この熱交換器１１は、燃焼部１０で生成された燃焼ガスが通過する位置に設置される。すなわち、熱交換器１１は、通水管２５を流れる湯水と、燃焼ガスとを熱交換させて、通水管２５内の湯水を昇温させるものである。
燃料供給系統は、図示しない燃料供給源から供給される燃料ガスを燃焼部１０に導く気体用の経路であり、図示しない燃料供給管及び各種弁等によって構成されている。
【００３１】
給湯系統７は、図示しない給水源から供給される水を適温（例えば摂氏３９〜４５度）に調整して、その湯を一般給湯端末４０に導くための液体用の経路である。そして、給湯系統７は、図２に示すように、主として、熱交換器１１の前後に設けられた上流側配管（上流側流路）２１及び下流側流路の一部（給湯配管（給湯流路）２２）と、熱交換器１１をバイパスするバイパス配管（バイパス流路）２３と、給湯出湯口６０で構成されている。
【００３２】
かかる構成により、給湯系統７では、上流側配管２１を流通する水を熱交換器１１に導入し、熱交換器１１で昇温させて湯を生成し、さらにその湯を給湯配管２２においてバイパス配管２３を通過した水と混合して所望の温度に調整し、その適温の湯を給湯出湯口６０から給湯装置１の外部に供給し、一般給湯端末４０から出湯することができる。
なお、給湯系統７によって一般給湯端末４０に供給される湯の温度は、図示しないリモコン等で予め設定しておくことができる。
【００３３】
また、上流側配管２１、給湯配管２２、並びに、バイパス配管２３のそれぞれには、以下に示す各種機器が設けられている。
上流側配管２１には、入水量を検知する入水側流量センサ４２と、入水温度を検知する入水側温度センサ４３とが設けられている。
給湯配管２２には、熱交換器１１から吐出した湯の温度を検知する缶体温度センサ４５と、出湯量の調整が可能な第２流量調整弁４６と、出湯温度を検知する出湯側温度センサ４７とが設けられている。
バイパス配管２３には、開度調整可能なバイパス弁４８が設けられている。
【００３４】
風呂系統８は、図示しない給水源から供給される水を浴槽４１に導くための液体用の経路であり、落とし込み系統１２と、高温差し湯系統１３に大別される。
【００３５】
落とし込み系統１２は、図示しない給水源から供給される水を適温（例えば摂氏３９〜４５度）に調整して、その湯を浴槽４１内に貯湯するための流路である。そして、落とし込み系統１２は、図３に示すように、主として、熱交換器１１の前後に設けられた上流側配管２１及び下流側流路の一部（給湯流路２２の一部と、給湯配管２２の中途に接続された湯張り用流路（浴槽導通流路）２６）と、バイパス配管２３とで構成されている。より具体的には、落とし込み系統１２は、給湯配管２２の中途であってバイパス配管２３の接続部Ｃよりも下流側から分岐した湯張り用流路２６を介して、風呂往き口５２に至り、外部配管によって浴槽４１と繋がる流路である。
【００３６】
かかる構成により、落とし込み系統１２では、熱交換器１１で昇温した湯と、バイパス配管２３を通過した湯水とを混合して生成された所望の温度の湯を、湯張り用流路２６を介して浴槽４１内に出湯することができる。
なお、落とし込み系統１２によって浴槽４１内に落とし込まれる湯は、図示しないリモコン等で予め設定しておくことができる。
【００３７】
また、落とし込み系統１２には、湯張り用流路２６において、開閉弁たる第２電磁弁３０と、２つの逆止弁３１、３２と、浴槽４１への出湯量を検知する浴槽側流量センサ３３とが設けられている。すなわち、落とし込み系統１２に流通する湯は、第２電磁弁３０の開閉状態によって制限される。また、落とし込み系統１２に流通する湯量は、下流側配管２２に設けられた第２流量調整弁４６によって調整される。
【００３８】
高温差し湯系統１３は、図示しない給水源から供給される水を高温（例えば摂氏８０度程度）に加熱して、その高温の湯を浴槽４１内に供給（差し湯）するための流路である。そして、高温差し湯系統１３は、図４に示すように、主として、熱交換器１１の前後に設けられた上流側配管２１及び下流側流路の一部（給湯配管２２の一部と、給湯配管２２の中途から分岐した高温差し湯流路（浴槽導通流路）２７とで構成されている。より具体的には、高温差し湯系統１３は、給湯配管２２の中途であってバイパス配管２３の接続部Ｃよりも上流側に高温分岐部５１があり、高温分岐部５１から分岐した高温差し湯流路２７を介して、風呂往き口５２に至り、外部配管によって浴槽４１と繋がる流路である。
【００３９】
なお、本実施形態の高温差し湯流路２７は、その下流側が前記した湯張り用流路２６の下流側と合流した構造となっている。具体的には、高温差し湯流路２７は、湯張り用流路２６との合流部Ｊよりも下流側に設けられた前記２つの逆止弁３１、３２及び図示しない逆流防止弁と、前記浴槽側流量センサ３３を共用する構成となっている。
また、以下においては、湯張り用流路２６及び高温差し湯流路２７における合流部Ｊよりも下流側の流路を、合流流路Ｊｆと称する。
【００４０】
かかる構成により、高温差し湯系統１３では、熱交換器１１で昇温した高温の湯を、高温差し湯流路２７を介して、浴槽４１内に出湯することができる。また、図示しない逆流防止弁を備えているため、何らかの影響で流路内が負圧傾向となり、浴槽４１内の湯水が逆流してしまう状況が発生したとしても、その逆流した湯水を外部に導くことが可能である。
なお、高温差し湯系統１３によって浴槽４１内に供給される湯の量や温度等は、予め制御装置２０に記憶させておくことができる。
【００４１】
また、高温差し湯系統１３には、高温差し湯流路２７において、合流流路Ｊｆに設けられた２つの逆止弁３１、３２と、浴槽側流量センサ３３とに加えて、合流部Ｊよりも上流側に、出湯量を調整可能な第１流量調整弁３５と、開閉弁たる第１電磁弁３６とが設けられている。すなわち、高温差し湯系統１３に流通する湯は、第１流量調整弁３５と第１電磁弁３６によって制御される。
【００４２】
次に、本実施形態の給湯装置の基本動作について説明する。
本実施形態の給湯装置１は、前記したように、一般給湯運転と、風呂運転の実施が可能である。なお、風呂運転とは、落とし込み運転と高温差し湯運転の総称であり、以下においては、落とし込み運転と高温差し湯運転の個々について説明する。
【００４３】
（一般給湯運転）
一般給湯運転は、需要者が給湯端末４０を操作する等した場合に発生する給湯要求に応じて、所望の設定温度（例えば摂氏４２度）の湯を給湯端末４０から出湯させることができる運転モードである。具体的に説明すると、給湯端末４０が操作されて給湯装置１内に水流が生じると、バイパス弁４８及び第２流量調整弁４６が所定の開度に制御される。そして、図示しない給水源から上流側配管２１に水が供給される。このとき、入水側流量センサ４２によって、上流側配管２１を通過する入水量が検知される。そして、入水側流量センサ４２によって、上流側配管２１を通過する水が一定量以上、つまり燃焼部１０において燃焼させることが可能な最低限の流量（MOQ）以上であることが確認されると（給湯要求有り）、燃焼部１０における燃焼動作が実施され、昇温した湯が給湯配管２２を流れて、一般給湯端末４０から吐き出される。
【００４４】
（落とし込み運転）
落とし込み運転は、図示しないリモコン等の自動落とし込みボタン等の操作によって、所望の温度（例えば摂氏４２度）の湯を浴槽４１内に落とし込む運転モードである。具体的には、落とし込み運転の要求が発生すると、第２電磁弁３０が開成されると共に、バイパス弁４８及び第２流量調整弁４６が所定の開度に制御される。そして、一般給湯運転と同様、図示しない給水源から上流側配管２１に水が供給されて、燃焼部１０において燃焼動作が実施される。そして、燃焼部１０で昇温して所定の温度に調整された湯が、湯張り用流路２６を介して、浴槽４１内に吐き出される。
【００４５】
（高温差し湯運転）
高温差し湯運転は、浴槽４１内に既に溜められた湯水を、新たに注湯される高温（例えば摂氏８０度）の湯によって加熱する運転モードである。具体的には、図示しないリモコン等の操作によって追い焚き運転の要求が発生すれば、第１電磁弁３６を開成すると共に、第１流量調整弁３５を所定の開度に制御する。なお、このとき、第２電磁弁３０は閉止した状態が維持され、またバイパス弁４８は必要最小開度で開いた状態が維持される。そして、一般給湯運転と同様、図示しない給水源から上流側配管２１に水が供給されて、燃焼部１０において燃焼動作が実施される。そして、燃焼部１０で昇温した高温の湯が、高温差し湯流路２７を介して、浴槽４１内に吐き出される。
なお、落とし込み運転と高温差し湯運転とが同時に実行される場合はない。
【００４６】
次に、本実施形態の給湯装置の特徴的構成について説明する。
ここで、先にも説明したように、従来、高温差し湯機能を備えた給湯装置では、高温差し湯運転中に、一般給湯運転の要求があった場合、「優先機能」を発揮するべく、流量センサの検知流量に基づいて一般給湯端末の使用判定（他栓判定）をしていた。
しかしながら、この種の給湯装置において、追い焚き運転中に、流量センサの検知流量に基づいて、一般給湯端末の使用を判定した場合、好適に「優先機能」を発揮することができなかった。
なお、「優先機能」とは、先にも説明したように、風呂運転中に、一般給湯運転の要求が発生した場合に、一方の運転を止めて、他方の運転を優先的に実施する機能のことである。本実施形態では、一般給湯運転を優先的に継続する「給湯優先機能」が具備されている。
【００４７】
そこで、本実施形態では、高温差し湯運転中の他栓判定を好適に行うべく、他栓判定専用の判定用温度センサ（温度検知手段）１５を設置している。すなわち、本実施形態では、判定用温度センサ１５を所定の位置に設け、その検知温度に基づいて他栓判定を行うこととした。
【００４８】
より詳細に説明すると、判定用温度センサ１５は、給湯配管２２上であって、分岐路たる高温差し湯流路２７の接続部５１よりも下流側、且つ、バイパス配管２３の接続部Ｃよりも上流側の範囲に設けられている。すなわち、判定用温度センサ１５は、高温差し湯流路２７の接続部５１とバイパス配管２３の接続部Ｃとの間（以下、高温分岐−バイパス間Ｓという）に設けられている。
【００４９】
また、本実施形態では、高温分岐−バイパス間Ｓにおいて、逆止弁１６が設けられている。この逆止弁１６は、バイパス配管２３を通過した比較的低温の湯水が高温差し湯流路２７側に流入することを防止する弁であり、判定用温度センサ１５よりも湯水の流れ方向上流側に配されている。
【００５０】
さらに、本実施形態では、判定用温度センサ１５による他栓判定の精度を向上させるべく、高温分岐−バイパス間Ｓを構成する配管（以下、判定配管Ｒという）を、所定の姿勢で設置している。
【００５１】
具体的に説明すると、この判定配管Ｒは、図５に示すように、２つの入水口１７、１８と、１つの吐出口１９とを有する構成である。この判定配管Ｒは、一方の入水口１７が燃焼装置３の熱交換器１１側に接続され、他方の入水口１８がバイパス配管２３の接続部Ｃ側に接続され、吐出口１９が下流側配管２２の下流側に接続されている。そして、この判定配管Ｒは、湯水の流れ方向の傾斜がほぼ水平な状態の水平部Ｈを形成した姿勢で設置されている。より詳細には、判定配管Ｒは、バイパス配管の接続部Ｃ側に接続された入水口１８の近傍に、水平部Ｈが形成された状態で設置されている。換言すれば、水平部Ｈは、その高さ位置（特に水平部Ｈの配管底部の高さ位置）がバイパス配管の接続部Ｃの高さ位置（特に接続部Ｃの配管底部の高さ位置）と概ね同一である。
なお、水平部Ｈは、厳密に言えば、湯水の流れ方向に沿って若干下り勾配を呈しており、上流側の方が下流側よりも高さ位置が高くなっている。
【００５２】
そして、本実施形態では、この水平部Ｈに、判定用温度センサ１５が取り付けられている。より具体的には、判定用温度センサ１５は、水平部Ｈの領域であって、判定配管Ｒの軸線（流路方向に伸びる中心線）を基準に、高さ方向下方側に配されている。すなわち、判定用温度センサ１５は、バイパス配管２３から流入した湯水によって冷却された湯の温度を、容易に検知できる位置に設けられている。
【００５３】
続いて、本実施形態の給湯装置の特徴的機能について説明する。
給湯装置１は、前記したように、「給湯優先機能」が具備されている。そして、本実施形態では、その「給湯優先機能」を発揮するべく、判定用温度センサ１５の検知温度に基づいて、他栓判定（以下、温度による他栓判定ともいう）が可能な構成となっている。すなわち、給湯装置１では、制御装置２０において、判定用温度センサ１５の検知温度が、一定以上になるか否かが監視される。
【００５４】
例えば、現在、高温差し湯運転が実施されているとする。このとき、燃焼装置３で加熱された高温の湯が、高温差し湯流路２７を介して、浴槽４１内に注湯される。すなわち、高温差し湯運転では、高温分岐−バイパス間Ｓに、高温の湯が流れることはない。また同時に、高温分岐−バイパス間Ｓに配された判定用温度センサ１５が一定以上の温度を検知することはない。
【００５５】
そして、この状況下において、一般給湯端末４０が操作されると、高温差し湯運転に並行して、給湯出湯口６０から一般給湯端末４０に向かって湯が流れる。
すなわち、給湯配管２２を介して、給湯出湯口６０に向かう水流が生じ、一般給湯端末４０に湯が供給される。すなわち、一般給湯運転では、高温分岐−バイパス間Ｓに、高温の湯が流れる。つまり、高温分岐−バイパス間Ｓに配された判定用温度センサ１５が一定以上（例えば摂氏８０度以上）の温度を検知する。
【００５６】
したがって、高温差し湯運転が単独で実施されている状況から、給湯出湯口６０から出湯させる要求が発生すると、高温分岐−バイパス間Ｓに高温の湯が流れるため、判定用温度センサ１５が一定以上の温度を検知する。その結果、制御装置２０において、一般給湯端末４０が使用されていると判定される。そして、その判定結果に基づいて、高温差し湯運転を停止し、一般給湯運転を優先的に実施する「給湯優先機能」が実行される。一方、判定用温度センサ１５が、一定以上の温度を検知することがなければ、制御装置２０において、一般給湯端末４０が使用されていると判定されることはない。
【００５７】
ところで、高温分岐−バイパス間Ｓに高温の湯が流入した後（例えば一般給湯運転や落とし込み運転の後）、全ての運転が停止、あるいは、高温差し湯運転が単独で実施されている状況に移行すると、高温分岐−バイパス間Ｓにおける高温の湯の流通は停止する。つまり、この場合、高温分岐−バイパス間Ｓにおいて、高温の湯が滞留する。そのため、判定用温度センサ１５において、一定以上の温度を検知した状態が継続されることが考えられる。つまり、その状況下においては、判定用温度センサ１５を用いた温度による他栓判定が好適に行えない可能性がある。
【００５８】
そこで、本実施形態では、前記したように、高温分岐−バイパス間Ｓを構成する判定配管Ｒを、水平部Ｈを形成する姿勢で設置し、さらにその水平部Ｈにバイパス配管２３を接続した構成にしている。すなわち、本実施形態では、高温分岐−バイパス間Ｓに湯の通水がないような状況下において、水平部Ｈ内にバイパス配管２３に滞留する低温の湯水が流入し得る構造にしている。これにより、高温分岐−バイパス間Ｓにおいて、高温の湯が滞留するような状況が発生したとしても、水平部Ｈ内に対して、バイパス配管２３から低温の湯水の流入が期待できるため、少なくとも水平部Ｈ内の湯の温度を低下させることができる。そして、本実施形態では、判定用温度センサ１５を水平部Ｈに設けているため、その検知温度を一定未満に至るまで低下させることができる。
【００５９】
このように、本実施形態では、高温分岐−バイパス間Ｓに判定配管Ｒを設け、その判定配管Ｒの水平部Ｈに判定用温度センサ１５を設けたため、高温差し湯運転中に、一般給湯運転が要求されたか否かを判定することが可能であり、温度による他栓判定を好適に行うことができる。
【００６０】
ここで、「給湯優先機能」は、前記した場合（高温差し湯運転中に一般給湯運転が実施される場合）以外に、一般給湯運転中に、高温差し湯運転が実施される場合や、落とし込み運転と一般給湯運転が並行に行われる場合にも実施される。
ところが、これらのいずれも、先行的に、高温分岐−バイパス間Ｓにおける高温の湯の流通があるため、前記したような判定用温度センサ１５に基づいた温度による他栓判定の実施は困難である。
【００６１】
そこで、本実施形態では、一般給湯運転中に、高温差し湯運転が実施される場合や、落とし込み運転と一般給湯運転が並行に実施される場合には、判定用温度センサ１５の検知温度に替えて、既設の流量センサの流量値に基づいて、他栓判定（以下、流量値による他栓判定ともいう）の実施が可能な構成となっている。
【００６２】
具体的には、制御装置２０において、入水側流量センサ４２で検知された上流側配管２１を流れる湯水の流量（加熱流量）に基づいた総流量と、浴槽側流量センサ３３で検知された合流流路Ｊｆ（湯張り用流路２６）を流れる湯水の流量（落とし込み流量）とを比較し、一定以上の差があった場合に、風呂運転が行われ、且つ、一般給湯運転の要求があると判定する。
なお、ここでいう「加熱流量に基づいた総流量」とは、バイパス弁４８の開度（バイパス比率）と、入水流量センサ４２での検知流量等に基づいて算出された総流量のことである。
【００６３】
例えば、現在、落とし込み運転が実施されているとする。このとき、燃焼装置３で加熱された湯は、高温分岐−バイパス間Ｓを流れ、バイパス配管２３を通過した低温の湯水と混合する。そして、その混合水は、湯張り用流路２６を介して、浴槽４１内に落とし込まれる。すなわち、落とし込み運転では、高温分岐−バイパス間Ｓに高温の湯が流れるため、判定用温度センサ１５は一定以上の温度を検知する。またこのとき、入水側流量センサ４２を通過した湯水の全てが、浴槽４１に向けて流れるため、加熱流量等によって算出された総流量と、浴槽側流量センサ３３による検知流量（落とし込み流量）との差は殆どない（一定未満）状態となる。
【００６４】
そして、この状況下において、一般給湯端末４０が開かれると、落とし込み運転と並行して給湯出湯口６０から一般給湯端末４０に向かって出湯される。
すなわち、入水側流量センサ４２を通過した湯水は、浴槽４１と一般給湯端末４０の双方に供給されることとなる。つまり、加熱流量等によって算出された総流量は、浴槽４１に向けて流れた流量（落とし込み流量）と、一般給湯端末４０に向けて流れた流量（一般給湯流量）との合計値となる。そのため、加熱流量等によって算出された総流量と、浴槽側流量センサ３３が検知した落とし込み流量が一致することはない。換言すれば、落とし込み流量は、加熱流量等によって算出された総流量に対して、一般給湯流量（一定流量）分だけ流量が少ない値となる。
【００６５】
したがって、落とし込み運転が単独で実施されている状況から、一般給湯運転が要求された場合は、加熱流量等によって算出された総流量と、浴槽側流量センサ３３が検知する落とし込み流量との間に差が生まれる。その結果、制御装置２０において、その差が一定以上あると判定されれば、一般給湯端末４０が使用されていると判定される。そして、その判定結果に基づいて、落とし込み運転を中断し、一般給湯運転を優先的に実施する「給湯優先機能」が実行される。一方、入水側流量センサ４２と浴槽側流量センサ３３との検知流量と間に、一定以上の差がなければ、制御装置２０において、一般給湯端末４０が使用されていると判定されることはない。
【００６６】
上記実施形態では、判定配管Ｒの底部が一定の傾斜を呈した構成を示したが、本発明はこれに限定されない。例えば、判定配管Ｒは、図６に示すように、底部に湯水が滞留し得る窪み５０を形成したものであっても構わない。かかる構成によれば、高温分岐−バイパス間Ｓに湯水の流通がない状況において、バイパス配管２３から判定配管Ｒ内に流入した低温の湯水を、特定の位置（窪み５０）に溜まり易くする効果を期待することができる。つまり、温度による他栓判定をより効果的に実施するという観点からすれば、判定配管Ｒの水平部Ｈに窪み５０を設け、その窪み５０に判定用温度センサ１５を設けることが推奨される。
【００６７】
上記実施形態では、湯張り用流路２６と高温差し湯流路２７の下流側を合流させて、合流流路Ｊｆを備えた構成を示したが、本発明はこれに限定されず、両者を合流させない構成であっても構わない。すなわち、湯張り用流路２６と高温差し湯流路２７を独立させた構成である。この構成を採用した場合、個々に浴槽側流量センサ３３を設けることが推奨される。
【００６８】
上記実施形態では、判定用温度センサ１５を用いて、温度による他栓判定を行う際に、検知温度が一定以上の温度となったことを条件に、一般給湯運転の要求があったと判定しているが、本発明はこれに限定されず、判定用温度センサ１５によって検知された温度が、一定時間の間（例えば０．２〜０．５秒の間）に一定以上（例えば摂氏１〜２度）上昇したことを条件に、一般給湯運転の要求があったと判定しても構わない。かかる制御によれば、上記実施形態よりも判定に要する時間を短縮化することが可能となる。
【符号の説明】
【００６９】
１    給湯装置
３    燃焼装置
７    給湯系統
８    風呂系統
１１    熱交換器
１２    落とし込み系統
１３    高温差し湯系統
１５    判定用温度センサ（温度検知手段）
２１    上流側配管（上流側流路）
２２    給湯配管（給湯流路）
２３    バイパス配管（バイパス流路）
２６    湯張り用流路（浴槽導通流路）
２７    高温差し湯流路（浴槽導通流路）
３３    浴槽側流量センサ
４２    入水側流量センサ
５０    窪み
５１  高温分岐部
５２  風呂往き口
６０  給湯出湯口
Ｃ    接続部
Ｊ    合流部
Ｊｆ    合流流路
Ｒ    判定配管
【図１】
2015010739.tif 000003
【図２】
2015010739.tif 000004
【図３】
2015010739.tif 000005
【図４】
2015010739.tif 000006
【図５】
2015010739.tif 000007
【図６】
2015010739.tif 000008